(57)【特許請求の範囲】
【請求項１】
ガスコンロ本体の横幅方向に並ぶ複数の点消火ボタンが、その消火操作位置において、前記ガスコンロ本体の前面部に設けたボタン装着枠に、前端部分を前記ガスコンロ本体の前方に突出させた状態で設けられ、前記点消火ボタンを押し操作して、前記点消火ボタンを前記消火操作位置から、前記消火操作位置よりも後方の点火操作位置に移動させることにより、前記ガスコンロ本体が備えるガスバーナへの点火が行われるように構成されたガスコンロであって、
前記複数の点消火ボタンのうち、互いに隣り合う少なくとも一対の前記点火ボタンの間には、前記コンロ本体の表面に露出しない態様で仕切部材が配設され、
前記仕切部材の前記点消火ボタンと対向する面には係止凹部が設けられ、
一対の前記点消火ボタンのそれぞれの、前記仕切部材の前記係止凹部が設けられた面と対向する面には、磁石からなる移動体を収納する収納凹部が設けられ、
前記移動体が、（ａ）前記収納凹部にその全体が収納された収納状態と、（ｂ）その一部が前記係止凹部内に突出した突出状態の、いずれかの状態となるように移動可能に構成され、
前記一対の点消火ボタンが同時に後方に押し操作された場合に、前記点消火ボタンの点火牽制位置において、前記一対の点消火ボタンのそれぞれが備える前記移動体が、両者の間に作用する磁気的吸引力によって前記突出状態となることで、前記点消火ボタンが、前記点火牽制位置から、それより後方の前記点火操作位置に移動することを牽制して、前記ガスバーナへの点火が行われないように構成されていること
を特徴とするガスコンロ。
【請求項２】
前記係止凹部の前端壁が、前方から後方に向かって、前記点消火ボタンからの距離が大きくなるような傾斜面とされていることを特徴とする請求項１記載のガスコンロ。
【請求項３】
前記点消火ボタンが前記消火操作位置に位置するとき、前記移動体を前記突出状態側から前記収納状態側に向かって磁力により付勢するバイアス磁石を備えていることを特徴とする請求項１または２記載のガスコンロ。
【請求項４】
前記バイアス磁石は、前記仕切部材に配設されていることを特徴とする請求項３記載のガスコンロ。
【発明の詳細な説明】
【技術分野】
【０００１】
本発明は、ガスコンロに関し、詳しくは、複数の点消火操作ボタンが並設された構造を有するガスコンロに関する。
【背景技術】
【０００２】
ガスコンロには、コンロバーナやグリルバーナなどのガスバーナの点火、消火の操作を行うための点消火操作ボタンをガスコンロ本体の前面に複数並べて配設したガスコンロがある。
【０００３】
そのようなガスコンロの１つに、特許文献１に開示されているようなガスコンロがある。
このガスコンロは、ガスコンロ本体の前面に横幅方向に隣接して並ぶ点消火ボタンを備えているとともに、２つの点消火ボタンの間には、両者を仕切る中間部材が配設されている。
【０００４】
したがって、例えば、所定のガスコンロの燃焼を停止しようとした際に、使用者の手指が、燃焼を停止しようとしたガスバーナ用の点消火ボタン（一方側点消火ボタン）と隣り合うガスバーナ用の点消火ボタン（他方側点消火ボタン）に近い領域に近接し、あるいは触れたような場合にも、手指のそれ以上の動作が上記中間部材によって妨げられ、意図せずに他方側点消火ボタンが操作され、ガスバーナに点火されてしまうことを防止することができる。
【先行技術文献】
【特許文献】
【０００５】
【特許文献１】特開２０１４−０４４０３０号公報
【発明の概要】
【発明が解決しようとする課題】
【０００６】
しかしながら、上記特許文献１に開示される中間部材の前端部分の形状は、ガスコンロの横幅方向視において点消火ボタンの前端部分と同じ形状とされていることから、中間部材の前端部分の位置と、中間部材の両側に位置する点消火ボタンの前端部分の位置とが前後方向にずれた場合には、外観上の美観が損なわれることになる。
【０００７】
そこで美観が損なわれないようにするためには、中間部材の前端部分（１箇所）の位置と、中間部材の両側に位置する点消火ボタンの前端部分（２箇所）の位置を精度よく合致させる、つまり、３箇所の前端部分の位置を精度よく合致させることが必要となる。
そして、そのためには、製造工程における管理精度を高く保つことが必要になり、生産性の低下やコストの増大を招くという問題点がある。
【０００８】
本発明は、上記課題を解決するものであり、並設されている複数の点消火ボタンのうち、隣り合う２つの点消火操作ボタンの一方の操作時に、意図せずに使用者の手指が他方の点消火操作ボタンに触れてしまった場合にも、意図しないガスバーナが点火されてしまうことを防止することが可能で、しかも、美観を損なわないようにするために、点消火操作ボタンの前面部などの位置合わせが必要な箇所の数を少なくすることが可能なガスコンロを提供することを目的とする。
【課題を解決するための手段】
【０００９】
上記の目的を達成するために、本発明のガスコンロは、
ガスコンロ本体の横幅方向に並ぶ複数の点消火ボタンが、その消火操作位置において、前記ガスコンロ本体の前面部に設けたボタン装着枠に、前端部分を前記ガスコンロ本体の前方に突出させた状態で設けられ、前記点消火ボタンを押し操作して、前記点消火ボタンを前記消火操作位置から、前記消火操作位置よりも後方の点火操作位置に移動させることにより、前記ガスコンロ本体が備えるガスバーナへの点火が行われるように構成されたガスコンロであって、
前記複数の点消火ボタンのうち、互いに隣り合う少なくとも一対の前記点火ボタンの間には、前記コンロ本体の表面に露出しない態様で仕切部材が配設され、
前記仕切部材の前記点消火ボタンと対向する面には係止凹部が設けられ、
一対の前記点消火ボタンのそれぞれの、前記仕切部材の前記係止凹部が設けられた面と対向する面には、磁石からなる移動体を収納する収納凹部が設けられ、
前記移動体が、（ａ）前記収納凹部にその全体が収納された収納状態と、（ｂ）その一部が前記係止凹部内に突出した突出状態の、いずれかの状態となるように移動可能に構成され、
前記一対の点消火ボタンが同時に後方に押し操作された場合に、前記点消火ボタンの点火牽制位置において、前記一対の点消火ボタンのそれぞれが備える前記移動体が、両者の間に作用する磁気的吸引力によって前記突出状態となることで、前記点消火ボタンが、前記点火牽制位置から、それより後方の前記点火操作位置に移動することを牽制して、前記ガスバーナへの点火が行われないように構成されていること
を特徴としている。
【００１０】
本発明のガスコンロにおいては、前記係止凹部の前端壁が、前方から後方に向かって、前記点消火ボタンからの距離が大きくなるような傾斜面とされていることが好ましい。
【００１１】
また、前記点消火ボタンが前記消火操作位置に位置するとき、前記移動体を前記突出状態側から前記収納状態側に向かって磁力により付勢するバイアス磁石を備えていることが好ましい。
【００１２】
また、前記バイアス磁石は、前記仕切部材に配設されていることが好ましい。
【発明の効果】
【００１３】
本発明のガスコンロは、上述のように構成されており、複数の点消火ボタンうち、互いに隣り合う少なくとも一対の点火ボタンの間には、ガスコンロ本体の表面に露出しない態様で仕切部材が配設されているので、点消火操作ボタンの前面部の位置などの位置合わせを厳密に行うことが必要な箇所の数を極力抑えつつ、美観を確保することが可能なガスコンロを実現することができる。
【００１４】
また、仕切部材の点消火ボタンと対向する面には係止凹部が設けられ、点消火ボタンの、上記仕切部材の係止凹部が設けられた面と対向する面には、磁石からなる移動体を収納する収納凹部が設けられ、移動体が、（ａ）収納凹部にその全体が収納された収納状態と、（ｂ）その一部が係止凹部内に突出する突出状態の、いずれかの状態となるように移動可能に構成され、一対の点消火ボタンが同時に後方に押し操作されたとき、点消火ボタンのそれぞれが備える複数の移動体が、両者の間に作用する磁気的吸引力によって突出状態となることで、点消火ボタンが、点火牽制位置から、それより後方の前記点火操作位置に移動することを牽制するようにしているので、隣り合う二つの点消火操作ボタンのうち、一方の点消火操作ボタンの操作時に、使用者の手指が意図せず他方の点消火操作ボタンに手指が触れてしまった場合にも、意図しないガスバーナが点火されてしまうことを防止することが可能になる。
【００１５】
また、係止凹部の前端壁を、前方から後方に向かって、点消火ボタンからの距離が大きくなるような傾斜面とすることで、複数の点消火ボタンがともに点火操作位置にある状態から、複数の点消火ボタンを同時に、消火操作位置に向う方向（前方）に移動させた場合、移動体が係止凹部の前方に備える傾斜面（前端壁）に当接し、点消火ボタンの前方への移動によって移動体が徐々に、かつ、確実に収納凹部に収納されるため、点消火ボタンを円滑に消火操作位置に移動させることが可能になる。
【００１６】
なお、係止凹部の前端壁に上述のような傾斜が付与されていない場合にも、例えば、所定の位置に磁石を配設して、磁気的吸引力により移動体を上記収納凹部に収納されるようにする方法などを適用して、点消火ボタンが円滑に消火操作位置に移動できるように構成することが可能である。
【００１７】
また、点消火ボタンが前記消火操作位置に位置するとき、移動体を突出状態側から収納状態側に向かって磁力により付勢するバイアス磁石を備えた構成とした場合、点消火ボタンが消火操作位置に位置するとき、移動体を確実に収納状態に維持することが可能になり、信頼性を向上させることができる。
【００１８】
また、バイアス磁石を、仕切部材に配設するようにした場合、省スペース化を図ることが可能になり、本発明をより実効あらしめることができる。
【図面の簡単な説明】
【００１９】
【図１】本発明の一実施形態にかかるガスコンロの斜視図である。
【図２】本発明の一実施形態にかかるガスコンロの要部正面図である。
【図３】図２におけるＡ−Ａ断面を示す点消火ボタンが消火操作位置にある  ときの要部側断面図である。
【図４】図２におけるＡ−Ａ断面を示す点消火ボタンが点火操作位置にあるときの要部側断面図である。
【図５】本発明の一実施形態にかかるガスコンロの要部平断面の模式図で、（ａ）はグリル用の点消火ボタンおよび右コンロ用の点消火ボタンが消火操作位置にある状態を示し、（ｂ）は右コンロ用の点消火ボタンが消火操作位置にありグリル用の点消火ボタンが点火操作位置にある状態を示し、（ｃ）はグリル用の点消火ボタンおよび右コンロ用の点消火ボタンが点火牽制位置にある状態を示す図である。
【発明を実施するための形態】
【００２０】
以下、本発明の実施形態を示して、その特徴とするところをさらに詳しく説明する。
【００２１】
［実施形態］
図１に示すように、この実施形態にかかるガスコンロＧＣは、２口のガステーブルコンロであり、グリルＧを備え、グリルＧ内にはグリルバーナ（図示せず）を備えている。なお、本発明のガスコンロは、ガステーブルコンロに限定されるものではなく、ガスドロップインコンロにも適用可能である。
【００２２】
ガスコンロＧＣは、ガスコンロ本体Ｈの上面に２つのコンロバーナ３１、すなわち、右コンロバーナ３１ａと左コンロバーナ３１ｂとを備えている。
【００２３】
また、ガスコンロ本体Ｈの前面部の右側には、右コンロバーナ３１ａの点消火を行うための点消火ボタン０２（０２ａ）と、グリルバーナ（図示せず）の点消火を行うための点消火ボタン０２（０２ｂ）とが配設されている。
【００２４】
具体的には、右コンロバーナ３１ａの点消火を行うための点消火ボタン０２ａと、グリルバーナ（図示せず）の点消火を行うための点消火ボタン０２ｂとは、図２に示すように、二個一で一対として、互いに隣り合うように配設されている。
【００２５】
また、ガスコンロ本体Ｈの前面部の左側には、左コンロバーナ３１ｂの点消火を行うための点消火ボタン０２（０２ｃ）と、ガスコンロＧＣが備える制御部（図示せず）の電源となる電池を収納する電池収納部４１が配設されている。
【００２６】
次に、右コンロバーナ３１（３１ａ）の点消火を行うための点消火ボタン０２（０２ａ）と、グリルバーナの点消火を行うための点消火ボタン０２（０２ｂ）の構成および動作を説明することにより、本発明の特徴とするところをさらに具体的に説明する。
【００２７】
この実施形態のガスコンロＧＣにおいては、図３に示すように、点消火ボタン０２ａがその消火操作位置にあるとき、つまり、点消火ボタン０２ａの消火操作位置においては、コンロバーナ３１ａへの燃料ガスの通流を制御するガス弁ブロック０７が備えるスライダー０８が、点消火ボタン０２ａの後端部１３によって後方に押圧されることがないように構成されており、コンロバーナ３１ａは、燃料ガスが供給されない状態である消火状態に維持される。
【００２８】
これに対し、図４に示すように、点消火ボタン０２ａがその点火操作位置にあるとき、つまり、点消火ボタン０２ａが後方（奥側に）に押し込み操作された、点消火ボタン０２ａの点火操作位置においては、コンロバーナ３１ａへの燃料ガスの通流を制御するガス弁ブロック０７が備えるスライダー０８が、点消火ボタン０２ａの後端部１３によって後方に押圧されて、コンロバーナ３１ａに燃料ガスが供給される状態である、コンロバーナ３１ａの点火状態となる。
【００２９】
図１、図２、図３、および図４に示すように、コンロ本体Ｈの横幅方向に並ぶ複数の点消火ボタン０２（０２ａ，０２ｂ）は、ガスコンロ本体Ｈの前面部に設けたボタン装着枠Ｂ（図２、図３、図４）に対して、その後端側上部１３ａをコンロ本体Ｈの横幅方向に沿う軸心Ｑ回りで回動自在に枢支させた状態で、かつ、ガスコンロ本体Ｈの前面部に設けたボタン挿通用開口０６を通して、前端部（点消火ボタン０２ａの前端部）１２ａをコンロ前方側に突出させた状態で設けられている。
【００３０】
次に、右コンロ用の点消火ボタン０２ａおよびおよびグリル用の点消火ボタン０２ｂの動作を規制するための構成や、点消火ボタン０２ａ，０２ｂの動作などについて、詳しく説明する。
【００３１】
なお、図５（ａ）は、右コンロ用の点消火ボタン０２ａおよびグリル用の点消火ボタン０２ｂがともに消火操作位置にある状態を示す図であり、また、図５（ｂ）は、右コンロ用の点消火ボタン０２ａが消火操作位置にあり、グリル用の点消火ボタン０２ｂが点火操作位置にあるときの状態を示す図である。
【００３２】
さらに、図５（ｃ）は、右コンロ用の点消火ボタン０２ａおよびグリル用の点消火ボタン０２ｂがともに点火牽制位置にあるときの状態を示す図である。
【００３３】
ボタン装着枠Ｂ（図２〜４）には、右コンロ用の点消火ボタン０２ａとグリル用の点消火ボタン０２ｂが設けられているとともに、両者の間には、仕切部材１００（図５）がガスコンロ本体Ｈの表面に露出しない態様で設けられている。
【００３４】
さらに、仕切部材１００には、後述のように、右コンロ用の点消火ボタン０２ａおよびグリル用の点消火ボタン０２ｂの動作を規制するための係止凹部１７１ａ，１７１ｂが設けられている（図５（ａ），（ｂ））。
【００３５】
また、図５（ａ），（ｂ）に示すように、係止凹部１７１ａ，１７１ｂの後端壁１７２ａ，１７２ｂは、右コンロ用の点消火ボタン０２ａおよびグリル用の点消火ボタン０２ｂの動作方向（押し込み方向）に直交する面とされており、また、図５（ｂ），（ｃ）に示すように、係止凹部１７１ａ，１７１ｂの前端壁は、前方から後方に向かって、右コンロ用の点消火ボタン０２ａおよびグリル用の点消火ボタン０２ｂからの距離が大きくなるような傾斜面１７３ａ，１７３ｂとされている。
【００３６】
また、右コンロ用の点消火ボタン０２ａの、仕切部材１００の係止凹部１７１ａが設けられた面と対応する面には、収納凹部６１ａが設けられており、この収納凹部６１ａには、移動体（磁石）５１ａが収納されている。
【００３７】
また、グリル用の点消火ボタン０２ｂの、仕切部材１００の係止凹部１７１ｂがもうけられた面と対向する面には、収納凹部６１ｂが設けられており、この収納凹部６１ｂには、移動体（磁石）５１ｂが収納されている。
【００３８】
そして、右コンロ用の点消火ボタン０２ａの、収納凹部６１ａに収納された移動体（磁石）５１ａは、収納凹部６１ａ内にその全体が収納された収納状態と、収納凹部６１ａから係止凹部１７１ａが位置する側に突出する突出状態との間で状態が変化するように、移動可能に構成されている。
また、グリル用の点消火ボタン０２ｂの、収納凹部６１ｂに収納された移動体（磁石）５１ｂは、収納凹部６１ｂ内にその全体が収納された収納状態と、収納凹部６１ｂから係止凹部１７１ｂが位置する側に突出する突出状態との間で状態が変化するように、移動可能に構成されている。
【００３９】
また、ボタン装着枠Ｂにおける仕切部材１００の、右コンロ用の点消火ボタン０２ａが消火操作位置にあるときの収納凹部６１ａ内に収納された移動体（磁石）５１ａと対向し、また、グリル用の点消火ボタン０２ｂが消火操作位置にあるときの収納凹部６１ｂ内に収納された移動体（磁石）５１ｂと対向する位置には磁石収納凹部１６１が形成されており、この磁石収納凹部１６１には、バイアス磁石１５１が配置されている。
【００４０】
バイアス磁石１５１は、右コンロ用の点消火ボタン０２ａおよびグリル用の点消火ボタン０２ｂが消火操作位置にあるときに、それぞれの収納凹部６１ａ，６１ｂに収容された移動体（磁石）５１ａ，５１ｂに対して、磁気的な反発力が生じる極性となる態様で、仕切部材１００の磁石収納凹部１６１内に配置されている（図５（ａ）参照）。すなわち、バイアス磁石１５１は、Ｎ極とＳ極が、収納凹部６１ａ，６１ｂに収容された移動体（磁石）５１ａ，５１ｂに対して磁気的な反発力が生じるような向きとなるように配設されている。
【００４１】
したがって、右コンロ用の点消火ボタン０２ａおよびグリル用の点消火ボタン０２ｂが消火操作位置にあるとき、それぞれの収納凹部６１ａ，６１ｂに収容された移動体（磁石）５１ａ，５１ｂには、バイアス磁石１５１の磁力による反発力によって、バイアス磁石１５１から遠ざかる方向の力が作用する。その結果、移動体（磁石）５１ａ，５１ｂが、収納凹部６１ａ，６１ｂ内にその全体が収納された収納状態が確実に維持されることになる。
【００４２】
また、図５（ａ）に示す、右コンロ用の点消火ボタン０２ａおよびグリル用の点消火ボタン０２ｂが消火操作位置にある状態から、右コンロ用の点消火ボタン０２ａとグリル用の点消火ボタン０２ｂのいずれか一方（ここでは、例えばグリル用の点消火ボタン０２ｂ）が押し込み操作されたとき、グリル用の点消火ボタン０２ｂの収容凹部６１ｂに収容された移動体（磁石）５１ｂは、収納状態を維持する。
その結果、グリル用の点消火ボタン０２ｂは、使用者の押し込み操作によって、図５（ｂ）に示す点火操作位置に押し込まれ、グリルバーナが点火することになる。
【００４３】
また、図５（ａ）に示す、右コンロ用の点消火ボタン０２ａおよびグリル用の点消火ボタン０２ｂが消火操作位置にある状態から、右コンロ用の点消火ボタン０２ａが押し込み操作された場合にも同様の工程を経て右コンロバーナ３１ａが点火することになる。
【００４４】
これに対し、図５（ａ）に示す、右コンロ用の点消火ボタン０２ａおよびグリル用の点消火ボタン０２ｂが消火操作位置にある状態において、右コンロ用の点消火ボタン０２ａおよびグリル用の点消火ボタン０２ｂの両方が、同時に押し込み操作された場合は、右コンロ用の点消火ボタン０２ａおよびグリル用の点消火ボタン０２ｂのいずれもが消火操作位置にあるときには、右コンロ用の点消火ボタン０２ａとグリル用の点消火ボタン０２ｂが備える移動体（磁石）５１ａと５１ｂが、バイアス磁石１５１と対向し、バイアス磁石１５１からの磁気的な反発力で、収納凹部６１ａ，６１ｂ内にその全体が収納された収納状態から、図５（ｃ）に示すように、右コンロ用の点消火ボタン０２ａとグリル用の点消火ボタン０２ｂが備える移動体（磁石）５１ａ，５１ｂが、右コンロ用の点消火ボタン０２ａおよびグリル用の点消火ボタン０２ｂとともに、後方（奥側）に移動し、移動体（磁石）５１ａ，５１ｂが、バイアス磁石１５１と対向しない状態となり、右コンロ用の点消火ボタン０２ａが備える移動体（磁石）５１ａと、グリル用の点消火ボタン０２ｂが備える移動体（磁石）５１ｂの間に、磁気的な吸引力が生じる。
【００４５】
その結果、右コンロ用の点消火ボタン０２ａとグリル用の点消火ボタン０２ｂは、いずれもが同時に後方（奥側）に押し込まれ、右コンロ用の点消火ボタン０２ａの移動体（磁石）５１ａと、グリル用の点消火ボタン０２ｂの移動体（磁石）５１ｂとが係止凹部１７１ａ，１７１ｂと対向する位置に達すると、移動体（磁石）５１ａと５１ｂの間に作用する磁気的な吸引力によって、右コンロ用の点消火ボタン０２ａの移動体（磁石）５１ａと、グリル用の点消火ボタン０２ｂの移動体（磁石）５１ｂとが係止凹部１７１ａ，１７１ｂに嵌入する。そして、右コンロ用の点消火ボタン０２ａおよびグリル用の点消火ボタン０２ｂは、ともに点火牽制位置に至る（図５（ｃ）参照）。
【００４６】
そして、図５（ｃ）に示すように、右コンロ用の点消火ボタン０２ａおよびグリル用の点消火ボタン０２ｂがともに点火牽制位置にある状態から、さらに押し込み操作を継続して、右コンロ用の点消火ボタン０２ａおよびグリル用の点消火ボタン０２ｂを後方に移動させようとした場合、移動体（磁石）５１ａ，５１ｂが係止凹部１７１ａ，１７１ｂの後端壁１７２ａ，１７２ｂに当接して、右コンロ用の点消火ボタン０２ａおよびグリル用の点消火ボタン０２ｂが、それ以上後方に移動することが阻止される。
【００４７】
その結果、図５（ａ）に示す、右コンロ用の点消火ボタン０２ａおよびグリル用の点消火ボタン０２ｂがともに消火操作位置にある状態から、両者を同時に操作した場合に、右コンロ用の点消火ボタン０２ａおよびグリル用の点消火ボタン０２ｂが点火操作位置に移動することが防止される。
【００４８】
この実施形態のガスコンロは上述のように構成されているので、隣接して配置された右コンロ用の点消火ボタン０２ａおよびグリル用の点消火ボタン０２ｂのうちの一方を操作する際に、意図せず他方の点消火操作ボタンに使用者の手指が触れてしまった場合にも、意図しないガスバーナが不用意に点火してしまうことを回避することが可能な、信頼性の高いガスコンロを提供することができる。
【００４９】
しかも、二つの点消火操作ボタン、すなわち、右コンロ用の点消火ボタン０２ａおよびグリル用の点消火ボタン０２ｂの間に、従来のガスコンロのように中間部材が表面に露出しないので、美観を確保するために、精度の高い位置合わせを行うことが必要な箇所の数を減らすことが可能になり、コストの増大を抑制しつつ、美観に優れたガスコンロを実現することができる。
【００５０】
なお、この実施形態にかかるガスコンロにおいては、右コンロ用の点消火ボタン０２ａおよびグリル用の点消火ボタン０２ｂがともに点火操作位置に押し込まれ、右コンロバーナ３１ａおよびグリルバーナがともに点火されている状態から、使用者の意図により、右コンロ用の点消火ボタン０２ａおよびグリル用の点消火ボタン０２ｂを同時に消火操作位置に戻そうとした場合、以下に説明する工程を経て、両者を消火操作位置に戻すことができるように構成されている。
【００５１】
すなわち、この実施形態にかかるガスコンロにおいては、右コンロ用の点消火ボタン０２ａの移動体（磁石）５１ａ、グリル用の点消火ボタン０２ｂの移動体（磁石）５１ｂとの間に作用する磁気的な吸引力によって、右コンロ用の点消火ボタン０２ａの移動体（磁石）５１ａおよびグリル用の点消火ボタン０２ｂの移動体（磁石）５１ｂが、係止凹部１７１ａ，１７１ｂに嵌入した状態となる。
【００５２】
そして、この状態で、右コンロ用の点消火ボタン０２ａおよびグリル用の点消火ボタン０２ｂを前方へ移動させた場合、右コンロ用の点消火ボタン０２ａの移動体（磁石）５１ａ、およびグリル用の点消火ボタン０２ｂの移動体（磁石）５１ｂは、係止凹部１７１ａ，１７１ｂの前端壁である傾斜面１７３ａ，１７３ｂに当接し、グリル用の点消火ボタン０２及び右コンロ用の点消火ボタン０２の前方への移動によって、右コンロ用の点消火ボタン０２ａの移動体（磁石）５１ａ、およびグリル用の点消火ボタン０２ｂの移動体（磁石）５１ｂは、ともに係止凹部１７１ａ，１７１ｂから脱出し、収納凹部６１ａ，６１ｂに収納される（図５（ａ））。
【００５３】
これにより、右コンロ用の点消火ボタン０２ａおよびグリル用の点消火ボタン０２ｂは、ともに消火操作位置にある状態に確実に復帰することができる。
【００５４】
なお、上記実施形態において、係止凹部１７１ａ，１７１ｂの前端壁を傾斜面１７３ａ，１７３ｂとした構成は任意の構成であり、係止凹部の前端壁を上述のような傾斜面１７３ａ，１７３ｂとしない場合にも、例えば、所定の位置に磁石を配設して、磁気的吸引力により移動体５１ａ，５１ｂを上記収納凹部６１ａ，６１ｂに収納されるようにする方法などを適用して、点消火ボタンを円滑に動作させるようにすることができる。
【００５５】
また、上記実施形態では、右コンロ用の点消火ボタン０２ａおよびグリル用の点消火ボタン０２ｂが消火操作位置に位置するとき、移動体５１ａ，５１ｂを突出状態側から収納状態側に向かって磁力により付勢するバイアス磁石１５１を仕切部材１００に設けた磁石収納凹部１６１に配設した場合を例にとって説明したが、バイアス磁石１５１は、仕切部材１００以外の位置に設けることも可能である。また、個々の移動体５１ａ，５１ｂ用に複数個のバイアス磁石１５１を備えた構成とすることも可能である。
【００５６】
また、バイアス磁石を備えていない構成とすることも可能である。バイアス磁石を設けることにより、移動体を突出状態側から収納状態側に向かって確実に動作させるようにすることができるが、バイアス磁石を備えていない場合にも、必要な動作をさせることは可能である。
【００５７】
また、上記実施形態では、グリル付きのガスコンロを例にとって説明したが、本発明は、グリルを備えていないガスコンロにも適用することが可能である。
【００５８】
本発明は、さらにその他の点においても、上記実施形態の構成に限定されるものではなく、発明の範囲内において、種々の応用、変形を加えることが可能である。
【符号の説明】
【００５９】
０２          点消火ボタン
０２ａ        右コンロ用の点消火ボタン
０２ｂ        グリルバーナ用の点消火ボタン
０２ｃ        左コンロ用の点消火ボタン
０６          ボタン挿通用開口
０７          ガス弁ブロック
０８          スライダー
１２ａ        右ガスコンロ用の点消火ボタンの前端部
１３          右ガスコンロ用の点消火ボタンの後端部
１３ａ        後端側上部
３１          コンロバーナ
３１ａ        右コンロバーナ
３１ｂ        左コンロバーナ
４１          電池収納部
５１ａ，５１ｂ          移動体（磁石）
６１ａ，６１ｂ          収納凹部
１００        仕切部材
１５１        バイアス磁石
１６１        磁石収納凹部
１７１ａ，１７１ｂ      係止凹部
１７２ａ，１７２ｂ      係止凹部の後端壁
１７３ａ，１７３ｂ      前端壁の傾斜面
Ｂ            ボタン装着枠
Ｇ            グリル
ＧＣ          ガスコンロ
Ｈ            ガスコンロ本体
Ｑ            軸心
【図１】
0006652877.tif 000002
【図２】
0006652877.tif 000003
【図３】
0006652877.tif 000004
【図４】
0006652877.tif 000005
【図５】
0006652877.tif 000006